【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
複数の周期的に実行される第１の周期処理に対する開始時刻とその実行時間間隔とをメモリに登録可能な画像処理装置であって、
前記第１の周期処理に対する開始時刻と実行時間間隔とが前記メモリに予め登録された後、第２の周期処理に対する開始時刻と実行時間間隔とを設定する設定手段と、
前記設定手段により設定される第２の周期処理に対する初回の開始時刻を前記第１の周期処理に対する次回の開始時刻に揃える調整手段と、
を有することを特徴とする画像処理装置。
【請求項２】
前記調整手段は、前記メモリに登録されている最も早い次の周期処理実行時刻と前記設定手段により設定される第２の周期処理に対する初回の開始時刻と実行時間間隔との加算時刻とを比較して、該加算時刻が最も早い次の周期処理実行時刻よりも遅いと判断した場合に、前記第２の周期処理に対する開始時刻を最も早い次の周期処理実行時刻に繰り上げて揃えることを特徴とする請求項１記載の画像処理装置。
【請求項３】
前記調整手段は、前記メモリに登録されている最も早い次の周期処理実行時刻と前記設定手段により設定される第２の周期処理に対する初回の開始時刻と実行時間間隔との加算時刻とを比較して、該加算時刻が最も早い次の周期処理実行時刻よりも遅いと判断した場合に、前記第２の周期処理に対する開始時刻を最も早い次の周期処理実行時刻に繰り上げて揃え、該加算時刻が最も早い次の周期処理実行時刻よりも早いと判断した場合に、第１の周期処理に対する開始時刻を前記加算時刻に揃えることを特徴とする請求項１記載の画像処理装置。
【請求項４】
前記メモリに登録されている第１、第２の周期処理に対する最も早い次の周期処理実行時刻を、前記調整手段により調整される次回の開始時刻に変更する変更手段を有することを特徴とする請求項１または２記載の画像処理装置。
【請求項５】
前記第１、第２の周期処理に対する開始時刻と実行間隔とを周期処理別に記憶する管理テーブルを前記メモリに記憶することを特徴とする請求項１〜４のいずれかに記載の画像処理装置。
【請求項６】
画像処理装置の電力モードを省電力モードに移行させるタイミングを設定する省電力モード設定手段を有し、
前記調整手段は、前記省電力モード設定手段により設定されるタイミングで省電力モードへ移行した後、前記第１、第２の周期処理の実行に伴い、通常モードへ復帰する要求が一定時間発生しないように、前記設定手段により設定される第２の周期処理に対する初回の開始時刻を前記第１の周期処理に対する次回の開始時刻に揃えることを特徴とする請求項１〜５のいずれかに記載の画像処理装置。
【請求項７】
複数の周期的に実行される第１の周期処理に対する開始時刻とその実行時間間隔とをメモリに登録可能な画像処理装置における設定時刻調整方法であって、
前記第１の周期処理に対する開始時刻と実行時間間隔とが前記メモリに予め登録された後、第２の周期処理に対する開始時刻と実行時間間隔とを設定する設定ステップと、
前記設定ステップにより設定される第２の周期処理に対する初回の開始時刻を前記第１の周期処理に対する次回の開始時刻に揃える調整ステップと、
を有することを特徴とする設定時刻調整方法。
【請求項８】
前記調整ステップは、前記メモリに登録されている最も早い次の周期処理実行時刻と前記設定ステップにより設定される第２の周期処理に対する初回の開始時刻と実行時間間隔との加算時刻とを比較して、該加算時刻が最も早い次の周期処理実行時刻よりも遅いと判断した場合に、前記第２の周期処理に対する開始時刻を最も早い次の周期処理実行時刻に繰り上げて揃えることを特徴とする請求項７記載の設定時刻調整方法。
【請求項９】
前記調整ステップは、前記メモリに登録されている最も早い次の周期処理実行時刻と前記設定ステップにより設定される第２の周期処理に対する初回の開始時刻と実行時間間隔との加算時刻とを比較して、該加算時刻が最も早い次の周期処理実行時刻よりも遅いと判断した場合に、前記第２の周期処理に対する開始時刻を最も早い次の周期処理実行時刻に繰り上げて揃え、該加算時刻が最も早い次の周期処理実行時刻よりも早いと判断した場合に、第１の周期処理に対する開始時刻を前記加算時刻に揃えることを特徴とする請求項７記載の設定時刻調整方法。
【請求項１０】
前記メモリに登録されている第１、第２の周期処理に対する最も早い次の周期処理実行時刻を、前記調整ステップにより調整される次回の開始時刻に変更する変更ステップを有することを特徴とする請求項７または８記載の設定時刻調整方法。
【請求項１１】
前記第１、第２の周期処理に対する開始時刻と実行間隔とを周期処理別に記憶する管理テーブルを前記メモリに記憶することを特徴とする請求項７〜１０のいずれかに記載の設定時刻調整方法。
【請求項１２】
画像処理装置の電力モードを省電力モードに移行させるタイミングを設定する省電力モード設定ステップを有し、
前記調整ステップは、前記省電力モード設定ステップにより設定されるタイミングで省電力モードへ移行した後、前記第１、第２の周期処理の実行に伴い、通常モードへ復帰する要求が一定時間発生しないように、前記設定ステップにより設定される第２の周期処理に対する初回の開始時刻を前記第１の周期処理に対する次回の開始時刻に揃えることを特徴とする請求項７〜１１のいずれかに記載の設定時刻調整方法。
【請求項１３】
請求項７〜１１のいずれかに記載の設定時刻調整方法を実行させることを特徴とするプログラム。
【請求項１４】
画像処理装置であって、
第１の周期処理に対する実行時間間隔又は実行時間を登録する第１の登録手段と、
第２の周期処理に対する実行時間間隔又は実行時間を登録する第２の登録手段と、
前記第１の登録手段で登録された第１の周期処理に対する実行時間間隔又は実行時間に基づいて第１の周期処理の実行時間を決定する第１の決定手段と、
前記第２の登録手段で登録された第２の周期処理に対する実行時間間隔又は実行時間に基づいて第１の周期処理の実行時間を決定する第２の決定手段と、
を有することを特徴とする画像処理装置。
【請求項１５】
前記第２の決定手段は、前記第２の登録手段で登録された第２の周期処理に対する実行時間間隔又は実行時間と、前記第１の登録手段で登録された第１の周期処理に対する実行時間間隔又は実行時間とを比較し、前記第１の周期処理の実行時間を決定することを特徴とする請求項１４記載の画像処理装置。
【請求項１６】
前記第１の登録手段による登録が行われた際に、前記第２の登録手段によって既に登録がされていた場合、前記第２の決定手段は、前記第２の登録手段で登録された第２の周期処理に対する実行時間間隔又は実行時間に基づいて第１の周期処理の実行時間を決定することを特徴とする請求項１５記載の画像処理装置。
【請求項１７】
画像処理装置であって、
第１の周期処理に対する実行時間間隔又は実行時間を登録する第１の登録手段と、
第２の周期処理に対する実行時間間隔又は実行時間を登録する第２の登録手段と、
前記第１の登録手段によって登録された実行時間間隔又は実行時間に基づく、前記第１の周期処理に対する実行時間と、前記第２の登録手段によって登録された実行時間間隔又は実行時間に基づく、前記第２の周期処理に対する実行時間とを比較し、前記第１の周期処理に対する実行時間と前記第２の周期処理に対する実行時間の何れかを変更する変更手段と、
を有することを特徴とする画像処理装置。